(57)【特許請求の範囲】
【請求項１】
画面表示情報を判別不可能な表示に設定する表示Ｌｏｃｋ機能を備え、該表示Ｌｏｃｋ機能を有効な状態に設定した場合、暗号化された状態で記憶装置に格納された画面表示用のフォントイメージデータを復号する際に、正規の暗号デコードキーを用いる代わりに、正しい復号を行わないダミーの暗号デコードキーを用いて復号することを特徴とする携帯電話端末。
【請求項２】
前記表示Ｌｏｃｋ機能を有効な状態に設定した場合に、前記ダミーの暗号デコードキーを用いて復号したフォントイメージデータを画面表示することを特徴とする請求項１に記載の携帯電話端末。
【請求項３】
前記表示Ｌｏｃｋ機能を有効な状態に設定したまま、前記表示Ｌｏｃｋ機能が無効な状態と同様の操作により、電話の発呼操作、着呼操作、通話を行うことが可能であることを特徴とする請求項１又は２に記載の携帯電話端末。
【請求項４】
前記表示Ｌｏｃｋ機能を有効な状態に設定した場合に、操作入力部から入力したキー情報を、そのまま、当該携帯電話端末からのレスポンスとして画面表示する際に、入力された前記キー情報を、正しい復号を行わない前記ダミーの暗号デコードキーを用いて復号した復号結果を画面表示することを特徴とする請求項１〜３のいずれか１つに記載の携帯電話端末。
【請求項５】
前記表示Ｌｏｃｋ機能を有効に設定した状態の解除は、暗証番号に基づく認証が得られることにより、実施されることを特徴とする請求項１〜４のいずれか１つに記載の携帯電話端末。
【請求項６】
前記暗証番号に基づく認証は、前記表示Ｌｏｃｋ機能を有効に設定した際に入力された暗証番号との照合により行うことを特徴とする請求項５に記載の携帯電話端末。
【請求項７】
画面表示情報を判別不可能な表示に設定する表示Ｌｏｃｋ機能を備え、該表示Ｌｏｃｋ機能を有効な状態に設定した場合、暗号化された状態で記憶装置に格納された画面表示用のフォントイメージデータを復号する際に、正規の暗号デコードキーを用いる代わりに、正しい復号を行わないダミーの暗号デコードキーを用いて復号することを特徴とする携帯電話端末の画面表示方法。
【請求項８】
前記表示Ｌｏｃｋ機能を有効な状態に設定した場合に、前記ダミーの暗号デコードキーを用いて復号したフォントイメージデータを画面表示することを特徴とする請求項７に記載の携帯電話端末の画面表示方法。
【請求項９】
前記表示Ｌｏｃｋ機能を有効な状態に設定したまま、前記表示Ｌｏｃｋ機能が無効な状態と同様の操作により、電話の発呼操作、着呼操作、通話を行うことが可能であることを特徴とする請求項７又は８に記載の携帯電話端末の画面表示方法。
【請求項１０】
前記表示Ｌｏｃｋ機能を有効な状態に設定した場合に、操作入力部から入力したキー情報を、そのまま、当該携帯電話端末からのレスポンスとして画面表示する際に、入力された前記キー情報を、正しい復号を行わない前記ダミーの暗号デコードキーを用いて復号した復号結果を画面表示することを特徴とする請求項７〜９のいずれか１つに記載の携帯電話端末の画面表示方法。
【請求項１１】
前記表示Ｌｏｃｋ機能を有効に設定した状態の解除は、暗証番号に基づく認証が得られることにより、実施されることを特徴とする請求項７〜１０のいずれか１つに記載の携帯電話端末の画面表示方法。
【請求項１２】
前記暗証番号に基づく認証は、前記表示Ｌｏｃｋ機能を有効に設定した際に入力された暗証番号との照合により行うことを特徴とする請求項１１に記載の携帯電話端末の画面表示方法。
【発明の詳細な説明】
【技術分野】
【０００１】
本発明は、携帯電話端末および携帯電話端末の画面表示方法に関し、特に、内部に記憶されている発着信履歴や電話帳などの個人情報を漏洩することなく、通話目的の第三者に貸与可能な携帯電話端末および携帯電話端末の画面表示方法に関する。
【背景技術】
【０００２】
携帯性や可搬性に富む携帯電話端末は、所有者に対する利便性に富む便利な機器である反面、盗難や遺失などにより他人に利用されやすいという危険性を孕んでいる。携帯電話端末を他人が利用できない状態に設定するための従来の技術の一例として、特許文献１に示す特開昭５８−０６８３３１号公報「自動車電話のダイヤルロック装置」に記載の技術がある。該特許文献１に記載のダイヤルロック装置は、簡単な操作により、携帯電話端末を、解除用の暗証番号が入力されるまで、着呼可能で、かつ、発呼不能なダイヤルロック状態に設定することにより、他人の無断使用を防止可能としたものである。
【０００３】
また、他の一例として、特許文献２に示す特開平１０−２５７１７０号公報「携帯電話端末」に記載の技術がある。該特許文献２に記載の携帯電話端末は、特定暗証番号と相手先電話番号とを組合せて入力することにより、携帯電話端末のダイヤルロックを一時的に解除し、通話終了後にはダイヤルロック設定状態に戻している。
【特許文献１】特開昭５８−０６８３３１号公報（第２−３頁）
【特許文献２】特開平１０−２５７１７０号公報（第２頁）
【発明の開示】
【発明が解決しようとする課題】
【０００４】
しかしながら、前述したような従来の技術では、以下のような問題点があった。
【０００５】
第１の問題点は、携帯電話端末内のメモリに記憶されている発信履歴、着信履歴、送信済メール、着信メール、電話帳、スケジュール等の種々の個人情報の漏洩防止策として、前記特許文献１等のような技術を用いて、暗証番号を設定して、暗証の解除を行わない限り、端末操作を一切ロックするという方法がある。しかし、このような方法では、例えば携帯電話端末を知人に一時的に貸与して、知人に通話のみを利用可能な状態に設定するということができない。
【０００６】
その理由は、この方法は、携帯電話端末のロック解除以外の全ての操作をロックしてしまい、携帯電話端末自体を全く操作することができない状態に設定してしまうためであり、個人情報などの情報の漏洩を防止した状態のままで、通話のための発呼操作をすることができないからである。
【０００７】
第２の問題点は、当該携帯電話端末の所有者本人が、操作ロックをした状態で電話をかけようとして発呼操作をする場合、その都度、暗証番号を入力する等の操作を行ってロックを解除しなければならず、操作が面倒である。この対策として、前記特許文献２に示すように、特定暗証番号を入力することによって、一時的にロックを解除するという方法が提案されている。しかしながら、前記特許文献２のような方法も、操作が面倒であるという問題自体を完全には解消することができない。
【０００８】
その理由は、当該携帯電話端末から電話をかける都度、相手の電話番号以外に、特定暗証番号を余計に入力する必要があり、通常の発呼操作と比較して、入力操作が増加してしまうからである。
【０００９】
第３の問題点は、携帯電話端末のＭＭＩ（Ｍａｎ  Ｍａｃｈｉｎｅ  Ｉｎｔｅｒｆａｃｅ）を変更して、携帯電話端末を貸与する第三者に対して、携帯電話端末内蔵のメモリ内に記録されている個人情報を表示することなく、発呼操作のみを許可するようにするという方法も考えられる。しかし、かかるＭＭＩの変更を既存の携帯電話端末に適用するためには、当該携帯電話端末に内蔵するソフトウェア構造の大規模な変更が必要であり、多大な変更工数が必要となる。
【００１０】
その理由は、近年の携帯電話端末は、機能が急激に増加してきており、各機能ごとに、ＭＭＩを変更して、第三者に対する個人情報の保護機能を付与することは、携帯電話端末のソフトウェアがより複雑化してしまい、当該携帯電話端末の設計／開発／デバッグ等のソフトウェア開発工数が大幅に増大するからである。
【００１１】
そこで、本発明の目的は、携帯電話端末内に記憶されている発信履歴、着信履歴、送信済メール、着信メール、電話帳、スケジュール等の種々の個人情報データを第三者に読み取られることなく、携帯電話端末を貸与された第三者でも通話に利用することが可能な携帯電話端末および携帯電話端末の画面表示方法を提供することにある。
【課題を解決するための手段】
【００１２】
前述の課題を解決するため、本発明による携帯電話端末および携帯電話端末の画面表示方法は、次のような特徴的な構成を採用している。
【００１３】
（１）  画面表示情報を判別不可能な表示に設定する表示Ｌｏｃｋ機能を備え、該表示Ｌｏｃｋ機能を有効な状態に設定した場合、暗号化された状態で記憶装置に格納された画面表示用のフォントイメージデータを復号する際に、正規の暗号デコードキーを用いる代わりに、正しい復号を行わないダミーの暗号デコードキーを用いて復号する携帯電話端末。
（２）前記表示Ｌｏｃｋ機能を有効な状態に設定した場合に、前記ダミーの暗号デコードキーを用いて復号したフォントイメージデータを画面表示する上記（１）の携帯電話端末。
（３）前記表示Ｌｏｃｋ機能を有効な状態に設定したまま、前記表示Ｌｏｃｋ機能が無効な状態と同様の操作により、電話の発呼操作、着呼操作、通話を行うことが可能である上記（１）又は（２）の携帯電話端末。
（４）前記表示Ｌｏｃｋ機能を有効な状態に設定した場合に、操作入力部から入力したキー情報を、そのまま、当該携帯電話端末からのレスポンスとして画面表示する際に、入力された前記キー情報を、正しい復号を行わない前記ダミーの暗号デコードキーを用いて復号した復号結果を画面表示する上記（１）ないし（３）のいずれかの携帯電話端末。
（５）前記表示Ｌｏｃｋ機能を有効に設定した状態の解除は、暗証番号に基づく認証が得られることにより、実施される上記（１）ないし（４）のいずれかの携帯電話端末。
（６）前記暗証番号に基づく認証は、前記表示Ｌｏｃｋ機能を有効に設定した際に入力された暗証番号との照合により行う上記（５）の携帯電話端末。
（７）画面表示情報を判別不可能な表示に設定する表示Ｌｏｃｋ機能を備え、該表示Ｌｏｃｋ機能を有効な状態に設定した場合、暗号化された状態で記憶装置に格納された画面表示用のフォントイメージデータを復号する際に、正規の暗号デコードキーを用いる代わりに、正しい復号を行わないダミーの暗号デコードキーを用いて復号する携帯電話端末の画面表示方法。
（８）前記表示Ｌｏｃｋ機能を有効な状態に設定した場合に、前記ダミーの暗号デコードキーを用いて復号したフォントイメージデータを画面表示する上記（７）の携帯電話端末の画面表示方法。
（９）前記表示Ｌｏｃｋ機能を有効な状態に設定したまま、前記表示Ｌｏｃｋ機能が無効な状態と同様の操作により、電話の発呼操作、着呼操作、通話を行うことが可能である上記（７）又は（８）のいずれかの携帯電話端末の画面表示方法。
（１０）前記表示Ｌｏｃｋ機能を有効な状態に設定した場合に、操作入力部から入力したキー情報を、そのまま、当該携帯電話端末からのレスポンスとして画面表示する際に、入力された前記キー情報を、正しい復号を行わない前記ダミーの暗号デコードキーを用いて復号した復号結果を画面表示する上記（７）ないし（９）のいずれかの携帯電話端末の画面表示方法。
（１１）前記表示Ｌｏｃｋ機能を有効に設定した状態の解除は、暗証番号に基づく認証が得られることにより、実施される上記（７）ないし（１０）のいずれかの携帯電話端末の画面表示方法。
（１２）前記暗証番号に基づく認証は、前記表示Ｌｏｃｋ機能を有効に設定した際に入力された暗証番号との照合により行う上記（１１）の携帯電話端末の画面表示方法。
【発明の効果】
【００１４】
本発明の携帯電話端末および携帯電話端末の画面表示方法によれば、画面表示情報を読み取り不可能な判別できない表示状態にロックする表示Ｌｏｃｋ機能を設定可能とする一方、本来の通話機能はそのまま利用可能としているので、以下のような効果を奏することができる。
【００１５】
第１の効果は、第三者に当該携帯電話端末を貸与しても、携帯電話端末内に記憶されている個人情報を読み取られることなく、第三者が特定の目的のみに利用することができることである。その理由は、表示Ｌｏｃｋ状態に設定しておけば、表示画面に表示される情報として、あらゆるフォントが正しく表示されない状態に設定されるので、当該携帯電話端末内の如何なる情報も表示画面からは読み取ることができなくなるためである。
【００１６】
第２の効果は、当該携帯電話端末の表示Ｌｏｃｋ設定を解除することなく、他人が通話に利用することができることである。その理由は、この表示Ｌｏｃｋ状態は、当該携帯電話端末内の情報を表示画面に正しく表示しないように加工しているだけであって、電話の基本機能である通話動作には全く影響を与えないためである。
【００１７】
第３の効果は、既存の携帯電話端末であっても、簡単なソフトウェアの変更を施すのみで、本発明の表示Ｌｏｃｋ機能を容易に実装することが可能となることである。その理由は、通常、携帯電話端末の表示画面に表示される情報についてのフォント表示処理は、画面表示ソフトウェアという１ヶ所のみで集中的に行っているので、基本的には、この画面表示ソフトウェアのフォント読み出し処理部に対してのみ変更を施すだけで、本発明を実施することが可能となるためである。したがって、極めてシンプルな構成で、かつ、低コストで、個人情報を保護する手段を実現することができ、既存の携帯電話端末にも容易に適用することが可能である。
【００１８】
第４の効果は、表示Ｌｏｃｋ動作時であっても、発呼操作や着信操作などを入力操作部から入力した際に、何らかのフォントのイメージデータが画面表示されるので、入力操作した何らかのキー情報が当該携帯電話端末において認識されたか否かというレスポンスを知ることはできることである。その理由は、表示Ｌｏｃｋ状態の場合、画面表示としてはフォントを正しく画面表示することができないので、表示情報自体を正確に理解することができないものの、携帯電話端末が認識した入力操作に応じて、何らかのフォントデータが画面表示されるからである。
【発明を実施するための最良の形態】
【００１９】
以下、本発明による携帯電話端末および携帯電話端末の画面表示方法の好適実施形態例について添付図を参照して説明する。
【００２０】
図１は、本発明による携帯電話端末のブロック構成の一例を示すブロック構成図である。図１に示すように、本発明の一例である携帯電話端末１０は、フォントデータ格納メモリ１１、出力表示部１２、演算処理部１３、操作入力部１４、主記憶領域１５および無線制御部１９を少なくとも備えており、主記憶領域１５には、表示Ｌｏｃｋ用パスワード格納エリア１６、フォントイメージデータ一時格納エリア１７、表示Ｌｏｃｋフラグ格納エリア１８を少なくとも有している。
【００２１】
また、フォントデータ格納メモリ１１には画面表示用のフォントイメージデータが格納されており、このフォントイメージデータは、一般的に暗号化された状態で格納されている。このため、実際に、フォントデータを正しく画面表示したい場合、フォントデータ格納メモリ１１に暗号化されて格納されているフォントイメージデータを、暗号デコードキーを用いて復号することが必要である。
【００２２】
通常、携帯電話端末１０の出力表示部１２に情報表示を行う場合、フォントデータ格納メモリ１１に格納されている暗号化されたフォントイメージデータを演算処理部１３が読み出して、正規の暗号デコード用キーコードを用いて、フォントイメージデータの復号を行い、復号化されたフォントイメージデータを、出力表示部１２へ画面表示する。この結果、出力表示部１２への画面表示は、携帯電話端末１０の利用者が認識可能な文字列又は図形として出力される。
【００２３】
一方、携帯電話端末１０の利用者が、携帯電話端末１０の出力表示部１２への情報表示をＬｏｃｋする表示Ｌｏｃｋ機能を有効にする設定をした場合、フォントデータ格納メモリ１１に格納されている暗号化されたフォントイメージデータを演算処理部１３が読み出して復号する際に、正規の暗号デコード用キーコードを用いる代わりに、あらかじめ定めたダミーの暗号デコード用キーコードを用いて、フォントイメージデータの復号処理を行い、復号処理後のフォントイメージデータを出力表示部１２へ画面表示する。このとき、ダミーの暗号デコードキーを用いて復号処理した結果、画面表示されたフォントイメージは利用者にとって判別不可能な不正な表示となる。すなわち、表示Ｌｏｃｋ状態に設定された場合、全ての情報について正しく画面表示することができなくなる。
【００２４】
したがって、携帯電話端末１０の出力表示部１２への情報表示をＬｏｃｋする表示Ｌｏｃｋ機能をあらかじめ有効に設定していた場合、たとえ、当該携帯電話端末１０に蓄積されている個人情報を画面表示しようとしても、理解不可能な画面表示となるので個人情報の漏洩を防止することができる。
【００２５】
ただし、フォントデータ格納メモリ１１に格納されているフォントイメージデータの暗号化方式が、例えばビットシフトや固定データとのＮＯＲ演算のような単純な方式を適用しているような場合は、出力表示部１２への実際の画面表示イメージの内容から、元の情報内容を類推されるおそれがある。
【００２６】
よって、フォントデータ格納メモリ１１に格納されているフォントイメージデータの暗号化方式は、ＤＥＳ(Data Encryption Standard)やＩＤＥＡ(International Data Encryption Algorithm)などの高度な共通鍵暗号方式（秘密鍵暗号方式）を用いることが望ましい。なお、これら暗号化方式については、当業者にとってよく知られており、また、本発明とは直接関係しないので、その詳細な構成は、ここでは省略する。
【００２７】
次に、本発明の一実施形態である図１に示す携帯電話端末１０のブロック構成図を参照しながら、その詳細をさらに説明する。
【００２８】
まず、図１の携帯電話端末１０を構成する各モジュールの機能について説明する。図１の携帯電話端末１０において、操作入力部１４は、キーパッド、マウス、操作ボタン、文字認識装置、音声入力装置等の入力デバイスから構成され、当該携帯電話端末１０に対する利用者からの情報や指示を入力する手段を提供している。演算処理部１３は、携帯電話端末１０内の各モジュールの制御やモジュール間に転送されるデータの転送制御やフォントイメージデータの復号処理等を司る機能を提供する。
【００２９】
また、出力表示部１２は、ＬＣＤやＣＲＴ等の画面表示デバイスから構成され、当該携帯電話端末１０からの情報を利用者に対して提供する手段を提供している。フォントデータ格納メモリ１１は、出力表示部１２への画面表示に用いる文字フォントやアイコン等の図形フォントのイメージデータを暗号化して格納しているメモリデバイスであり、ＲＯＭやフラッシュメモリなどで構成されている。
【００３０】
また、無線制御部１９は、無線電話網との間での音声通信やデータ通信を行うための無線デバイスモジュールである。主記憶領域１５は、種々の情報を記憶するためのメモリデバイスであり、ＲＡＭ、ＲＯＭ、フラッシュメモリ、ハードディスク等、場合によっては、リムーバブル記録媒体などで構成されている。
【００３１】
また、主記憶領域１５内の表示Ｌｏｃｋフラグ格納エリア１８は、画面表示が正しい表示とならずに判別不可能な表示になる表示Ｌｏｃｋ機能を有効にしたか否かを判定するためのフラグであり、表示Ｌｏｃｋ機能が有効に設定された場合は、ＴＲＵＥとし、一方、表示Ｌｏｃｋを無効にしている場合は、ＦＡＬＳＥとする。なお、デフォルト値はＦＡＬＳＥとする。
【００３２】
また、主記憶領域１５内の表示Ｌｏｃｋ用パスワード格納エリア１６は、出力表示部１２への文字やアイコンの表示をＬｏｃｋする表示Ｌｏｃｋ機能を解除するためのパスワードやフラグ等を格納するメモリエリアである。
【００３３】
また、主記憶領域１５内のフォントイメージデータ一時格納エリア１７は、復号済みのフォントイメージデータや、正しいフォントとはならない代替用の固定フォント等を格納するためのメモリエリアである。
【００３４】
次に、図１の携帯電話端末１０の動作について説明する。利用者が操作入力部１４から何らかの入力操作を行うと、入力操作に基づいて演算処理部１３において処理が施され、その処理結果が、携帯電話端末１０からのレスポンスとして出力表示部１２に画面表示されて、利用者に通知される。この出力表示部１２に画面表示する際に用いられる文字フォントデータは、フォントデータ格納メモリ１１に暗号化されて格納されており、このフォントデータ格納メモリ１１から読み出されたフォントイメージデータは、演算処理部１３にて、暗号の復号処理がなされて、利用者にとって理解可能なフォントからなる情報が画面表示される。
【００３５】
このように、携帯電話端末１０のフォントデータ格納メモリ１１に格納されているフォントイメージデータは、一般的に、暗号化された状態で格納されており、当該携帯電話端末１０の所有者自身ではない、第三者特に悪意を持つ解析者などが、外部から、当該携帯電話端末１０の主記憶領域１５などに蓄積されている発信履歴、着信履歴、送信済メール、着信メール、電話帳、スケジュール等の個人情報等を含む各種のデータを読み出して、出力表示部１２に正しく画面表示されることを防止している。
【００３６】
このため、実際にフォントデータを正しく画面表示したい場合には、表示Ｌｏｃｋを解除した状態に戻して、正しい暗号デコードキーを用いて、暗号化されたフォントイメージデータを復号することが必要である。また、このような表示Ｌｏｃｋを解除する操作は、第三者には利用することができない仕組みとすることが必要であり、パスワード等の暗証番号を用いたセキュリティ対策が必要である。このような仕組みを利用することにより、携帯電話端末１０の主記憶領域１５などに蓄積されている個人情報自体は、特に暗号化などの加工等を行わなくても、個人情報が読み出されて正しく表示されてしまったりする事態を防止することができる。
【００３７】
すなわち、当該携帯電話端末１０を表示Ｌｏｃｋの状態にさえ設定しておけば、第三者が、当該携帯電話端末１０の個人情報などのデータを出力表示部１２に画面表示する指示をしようとした場合、画面表示するためのフォントイメージデータをダミーの暗号デコードキーで復号処理して、携帯電話端末１０の情報を出力表示部１２には正しく画面表示しない状態にすることにより、当該携帯電話端末１０の個人情報等のデータの漏洩を防止することができる。また、携帯電話端末１０に格納されているいずれかの情報を読み取ったり、他の機器に転送したりする操作も、一般に、パスワードの入力など、画面表示に基づく操作が必要となるものであり、表示Ｌｏｃｋ状態においては、正しく画面表示されない状態に設定されているため、このような情報の読み取り・転送の操作も不可能となることにより、当該携帯電話端末１０の個人情報等のデータの漏洩を防止することができる。
【００３８】
次に、以上に説明した図１の携帯電話端末１０の動作を、フローチャートを用いてさらに詳細に説明する。まず、表示Ｌｏｃｋ状態に設定する動作の一例について説明する。図２は、本発明の一例である図１の携帯電話端末１０において表示Ｌｏｃｋ設定時の動作の一例を説明するためのフローチャートであり、携帯電話端末１０の演算処理部１３において実行される表示Ｌｏｃｋ設定用ソフトウェアの動作の一例を示している。
【００３９】
携帯電話端末１０の正規の利用者が、当該携帯電話端末１０の個人情報の漏洩を防止するために、当該携帯電話端末１０の情報を正しく画面表示できず、判別不可能な表示Ｌｏｃｋ状態に設定する場合、まず、操作入力部１４から表示Ｌｏｃｋ設定要求を入力する。表示Ｌｏｃｋ設定要求の入力結果は、ＯＳなどの上位レイヤを介して、演算処理部１３内の表示Ｌｏｃｋ設定用ソフトウェアに入力される（ステップＳ２１）。表示Ｌｏｃｋ設定要求を受け取った表示Ｌｏｃｋ設定用ソフトウェアでは、次に表示Ｌｏｃｋ解除を行う際に、正規の利用者か否かを認証するために用いられる表示Ｌｏｃｋ用パスワードすなわち暗証番号の入力要求を出力表示部１２に出力して、表示Ｌｏｃｋ用パスワードの入力を促す画面を表示する（ステップＳ２２）。
【００４０】
出力表示部１２の画面表示を見た利用者が、表示Ｌｏｃｋ用パスワードを入力すると(ステップＳ２３)、入力された表示Ｌｏｃｋ用パスワードすなわち暗証番号を、主記憶領域１５上の表示Ｌｏｃｋ用パスワード格納エリア１６に保存する（ステップＳ２４）。最後に、フォントイメージデータをダミーの暗号デコードキーで復号処理することにより正しい画面表示を行わないという、表示Ｌｏｃｋの設定状態に移行したことを示すために、主記憶領域１５上の表示Ｌｏｃｋフラグ格納エリア１８の表示ＬｏｃｋフラグにＴＲＵＥ値を代入する（ステップＳ２５）。
【００４１】
以上の手順により、当該携帯電話端末１０への表示Ｌｏｃｋ設定動作が完了する。
【００４２】
次に、出力表示部１２への画面表示動作の一例について説明する。図３は、本発明の一例である図１の携帯電話端末１０において出力表示部１２への画面表示動作の一例を説明するためのフローチャートであり、携帯電話端末１０の演算処理部１３において実行される画面表示用ソフトウェアの動作の一例を示している。
【００４３】
当該携帯電話端末１０の利用者は、まず、操作入力部１４から何らかの入力操作をすると、入力操作結果は、ＯＳなどの上位レイヤを介して、入力された情報を画面表示するフォント表示要求として、演算処理部１３内の画面表示用ソフトウェアに入力される（ステップＳ３１）。フォント表示要求を受け取った画面表示用ソフトウェアでは、その応答として、入力された情報を出力表示部１２へ画面表示するために、まず、表示対象の文字やアイコンの暗号化状態のフォントイメージデータをＲＯＭなどからなるフォントデータ格納メモリ１１からフォントイメージデータ一時格納エリア１７に読み込む（ステップＳ３２）。
【００４４】
次に、主記憶領域１５の表示Ｌｏｃｋフラグ格納エリア１８に設定されている表示Ｌｏｃｋフラグをチェックする（ステップＳ３３）。表示Ｌｏｃｋフラグの値がＦＡＬＳＥの場合は（ステップＳ３３のＮＯ）、通常通り、正規の暗号デコードキーを用いてフォントイメージデータを復号し（ステップＳ３６）、復号結果として得られた正しいフォントイメージデータを用いて表示デバイスすなわち出力表示部１２に描画してフォントの表示を行う（ステップＳ３５）。この結果、出力表示部１２に画面表示されたフォントは、利用者が操作入力部１４から入力した操作情報と同じ内容の応答情報として認識することが可能となる。
【００４５】
一方、表示Ｌｏｃｋフラグの値がＴＲＵＥの場合は（ステップＳ３３のＹＥＳ）、ダミーの暗号デコードキーを用いてフォントイメージデータを復号し（ステップＳ３４）、得られたフォントイメージデータを用いて表示デバイスすなわち出力表示部１２に描画してフォントの表示を行う（ステップＳ３５）。このとき、暗号デコードキーにダミー値を用いて復号しているため、正しいフォントイメージデータに復号することができず、判別不可能なノイズ状の崩れた画面表示になる。
【００４６】
したがって、出力表示部１２に画面表示されても、文字やアイコンとして認識することができない。すなわち、表示Ｌｏｃｋフラグの値がＴＲＵＥで、表示Ｌｏｃｋ機能が設定された状態では、全ての文字およびアイコンが全く意味のないノイズのような画面表示となるので、利用者が操作入力部１４から入力した操作情報の応答情報等として正しいか否かを確認することができなくなる。この結果、携帯電話端末１０内の個人情報データの読み取り操作も不能な状態になるため、当該携帯電話端末１０のセキュリティを確保することができる。
【００４７】
次に、表示Ｌｏｃｋ状態を解除する動作の一例について説明する。図４は、本発明の一例である図１の携帯電話端末１０において設定されている表示Ｌｏｃｋを解除する動作の一例を説明するためのフローチャートであり、携帯電話端末１０の演算処理部１３において実行される表示Ｌｏｃｋ設定解除用ソフトウェアの動作の一例を示している。
【００４８】
携帯電話端末１０の正規の利用者が、当該携帯電話端末１０に設定されている表示Ｌｏｃｋを解除する場合、まず、操作入力部１４から表示Ｌｏｃｋ解除要求を入力する。なお、この表示Ｌｏｃｋ解除要求の操作は、例えば、特定キーの長押しなどの操作誤りが少ない単純な操作が望ましい。その理由は、表示Ｌｏｃｋ解除要求の操作に対する携帯電話端末１０からの応答を、利用者が出力表示部１２にて確認することができないためである。表示Ｌｏｃｋ解除要求の入力結果は、ＯＳなどの上位レイヤを介して、演算処理部１３内の表示Ｌｏｃｋ設定解除用ソフトウェアに入力される（ステップＳ４１）。
【００４９】
表示Ｌｏｃｋ解除要求を受け取った表示Ｌｏｃｋ設定解除用ソフトウェアでは、次に、正規の利用者か否かを認証するために用いられる表示Ｌｏｃｋ用パスワードすなわち暗証番号の入力要求を出力表示部１２に出力して、表示Ｌｏｃｋ用パスワードの入力を促す画面を表示する（ステップＳ４２）。なお、この表示Ｌｏｃｋ用パスワードの入力画面のメッセージは、利用者へ正しく伝える必要があるため、フォントイメージデータの復号の際は、正規の暗号デコードキーを用いて、フォントイメージを正しく復号する。
【００５０】
出力表示部１２の画面表示を見た利用者が、表示Ｌｏｃｋ用パスワードを入力すると(ステップＳ４３)、入力された表示Ｌｏｃｋ用パスワードすなわち暗証番号と、表示Ｌｏｃｋ設定時に主記憶領域１５上の表示Ｌｏｃｋ用パスワード格納エリア１６に保存されている表示Ｌｏｃｋ用パスワードすなわち暗証番号と、を照合して、一致しているか否かを確認する（ステップＳ４４）。
【００５１】
一致していた場合（ステップＳ４４のＹＥＳ）、フォントイメージデータを正規の暗号デコードキーで復号処理して正しい画面表示を行うという、表示Ｌｏｃｋの解除状態に移行したことを示すために、主記憶領域１５上の表示Ｌｏｃｋフラグ格納エリア１８の表示ＬｏｃｋフラグにＦＡＬＳＥ値を代入して、処理を終了する（ステップＳ４５）。一方、ステップＳ４４における照合結果が、一致していなかった場合（ステップＳ４４のＮＯ）、表示Ｌｏｃｋ解除要求の操作入力は不正なものとみなし、表示Ｌｏｃｋを解除することなく、そのまま、処理を終了する。
【００５２】
（本発明の他の実施形態）
本発明の基本的構成については、前述した実施形態に示す通りであるが、本発明の他の実施形態として、出力表示部１２へ画面表示するフォントイメージデータのデコード方法について、さらに工夫している例について、フローチャートを用いて説明する。
【００５３】
図５は、本発明の一例である図１の携帯電話端末１０において出力表示部１２への画面表示動作の図３とは異なる例を説明するためのフローチャートである。図５のフローチャートにおいて、携帯電話端末１０の利用者は、まず、操作入力部１４から何らかの入力操作をすると、入力操作結果は、ＯＳなどの上位レイヤを介して、入力された情報を画面表示するフォント表示要求として、演算処理部１３内の画面表示用ソフトウェアに入力される（ステップＳ５１）。フォント表示要求を受け取った画面表示用ソフトウェアでは、最初に、主記憶領域１５の表示Ｌｏｃｋフラグ格納エリア１８の表示Ｌｏｃｋフラグのチェックを行う（ステップＳ５２）。
【００５４】
この表示Ｌｏｃｋフラグの値がＦＡＬＳＥの場合は（ステップＳ５２のＮＯ）、表示対象フォントのイメージデータをＲＯＭなどからなるフォントデータ格納メモリ１１から読み出し（ステップＳ５３）、通常通り、正規の暗号デコードキーを用いてフォントイメージデータを復号する（ステップＳ５４）。復号されたフォントイメージデータは、表示デバイスすなわち出力表示部１２へ正しく描画されて画面表示される（ステップＳ５５）。
【００５５】
一方、表示Ｌｏｃｋフラグの値がＴＲＵＥの場合は（ステップＳ５２のＹＥＳ）、ダミーデータフォントとして主記憶領域１５のＲＯＭ等にあらかじめ用意しておいた固定フォントの生イメージデータ（Ｒａｗ  Ｉｍａｇｅ  Ｄａｔａ：ローイメージデータ）を読み出して、表示しようとするフォントを固定フォントの生イメージデータと置換する（ステップＳ５６）。この固定フォントの生イメージデータは、例えば“＊”コード、“−”コード、“■”コード、“ＮＵＬＬ”コードなどのように、置換された代用コードであることが判りやすい代用記号や代用文字が望ましい。置換された生イメージデータは、表示デバイスすなわち出力表示部１２へ描画されて画面表示される（ステップＳ５５）。
【００５６】
このように、図５に示す実施形態においては、表示Ｌｏｃｋが設定されていた場合は、固定フォントの生イメージデータすなわち非暗号化イメージデータを使用して画面表示するので、ダミーの暗号デコードキーによるフォントイメージデータの暗号デコード処理が不要になる。而して、当該携帯電話端末１０内でのダミーを含めた余計なデコードキー管理が不要となり、また、デコード処理に必要なメモリリソースを節約することができ、表示Ｌｏｃｋ設定状態での表示処理速度を向上させることができるという効果が得られる。
【００５７】
次に、本発明の図５とはさらに異なる実施形態を図６のフローチャートを用いて説明する。図６は、本発明の一例である図１の携帯電話端末１０において出力表示部１２への画面表示動作の図３とはさらに異なる例を説明するためのフローチャートである。この実施形態の場合は、フォントデータ格納メモリ１１中のフォントイメージデータが暗号化されていない場合を想定している。
【００５８】
図６のフローチャートにおいて、携帯電話端末１０の利用者は、まず、操作入力部１４から何らかの入力操作をすると、図５の場合と同様に、入力操作結果は、ＯＳなどの上位レイヤを介して、入力された情報を画面表示するフォント表示要求として、演算処理部１３内の画面表示用ソフトウェアに入力される（ステップＳ６１）。フォント表示要求を受け取った画面表示用ソフトウェアでは、図５の場合と同様に、最初に、主記憶領域１５の表示Ｌｏｃｋフラグ格納エリア１８の表示Ｌｏｃｋフラグのチェックを行う（ステップＳ６２）。
【００５９】
この表示Ｌｏｃｋフラグの値がＦＡＬＳＥの場合は（ステップＳ６２のＮＯ）、通常通り、表示対象フォントの暗号化されていないフォントイメージデータをＲＯＭなどからなるフォントデータ格納メモリ１１から読み出す（ステップＳ６５）。読み出されたフォントイメージデータは、表示デバイスすなわち出力表示部１２へ正しく描画されて画面表示される（ステップＳ６４）。
【００６０】
一方、表示Ｌｏｃｋフラグの値がＴＲＵＥの場合は（ステップＳ６２のＹＥＳ）、図５の場合と同様に、ダミーデータフォントとして主記憶領域１５のＲＯＭ等にあらかじめ用意しておいた固定フォントの生イメージデータ（ローイメージデータ）を読み出して、表示しようとするフォントを固定フォントの生イメージデータと置換する（ステップＳ６３）。置換された生イメージデータは、表示デバイスすなわち出力表示部１２へ描画されて画面表示される（ステップＳ６４）。
【００６１】
図６に示す実施形態の場合も、図５の場合と同様、先に、表示Ｌｏｃｋフラグの値を判定して、表示Ｌｏｃｋフラグの値がＴＲＵＥの場合は、固定フォント生イメージデータと置換して画面表示するので、効率よく画面表示処理を行うことができるとともに、さらに、表示Ｌｏｃｋフラグの値がＦＡＬＳＥの場合も、フォントデータ格納メモリ１１に格納されているフォントイメージデータも暗号化されていないので、暗号復号化処理が不要であり、極めて効率よく画面表示処理を行うことができるという効果が得られる。
【００６２】
以上に説明したように、本発明は、表示Ｌｏｃｋ状態に設定することにより、あらゆるフォントが正しく画面表示されなくなるので、携帯電話端末１０を通話のために第三者に貸与した場合であっても、携帯電話端末１０内に記憶されている個人情報を第三者に読み取られてしまうことがない。
【００６３】
また、表示Ｌｏｃｋが設定された携帯電話端末１０は、画面表示した情報を判別することができないように加工し、かつ、これに伴い、格納されている個人情報等の読み出し操作もできない状態に設定しているだけであり、電話の基本機能である通話動作には全く影響を与えないので、携帯電話端末１０を通話のために貸与された第三者は、当該携帯電話端末１０の表示Ｌｏｃｋ設定を解除することなく通話することができる。
【００６４】
また、通常、既存の携帯電話端末のフォント表示処理はソフトウェアの１ヶ所のみで行われている処理であり、この部分のソフトウェアを変更するのみで、本発明の動作を行わせることが可能となるので、既存の携帯電話端末に対しても、簡単に表示Ｌｏｃｋ機能を実装させることが可能である。
【００６５】
また、表示Ｌｏｃｋ設定時であっても、発呼操作やダイヤル操作などを操作入力部１４から入力した際に、ダミーの暗号デコードキーによるデコード結果や固定フォントの生イメージデータが表示され、フォントが正しく画面表示されないものの、何れかのキーが押されているとの携帯電話端末１０からのレスポンスを、利用者は画面表示を介して知ることができる。
【００６６】
また、電話をかける際にダイヤルした電話番号表示が正しい表示にはならなく、判別不可能な表示になるので、近くに居合わせた第三者に通話先の電話番号を盗み取られる恐れがなくなるし、一方、第三者に携帯電話端末を一時的に貸与して通話させる場合などでは、電話番号表示が正しくできなくても、それほど大きな負担にはならないので、極めて有効なセキュリティ機能を簡便に提供することができる。
【００６７】
一方、電話をかける際に番号表示をしなくするために、出力表示部の電源を切断してしまう方法もあるが、利用者が行っているダイヤル操作を携帯電話端末が認識できているか否かのレスポンスを、当該利用者が全く知ることができなくなるため、ダイヤル操作の操作性を維持することができなくなる。これに対して、表示Ｌｏｃｋ機能が設定されている場合には、正しい情報ではなく認識不能な情報であるものの、何らかのレスポンスが画面表示されるので、利用者は、セキュリティ確保状態の確認をしつつ、ある程度の操作性を維持することができる。
【００６８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００６９】
【図１】本発明による携帯電話端末のブロック構成の一例を示すブロック構成図である。
【図２】本発明の一例である図１の携帯電話端末において表示Ｌｏｃｋ設定時の動作の一例を説明するためのフローチャートである。
【図３】本発明の一例である図１の携帯電話端末において出力表示部への画面表示動作の一例を説明するためのフローチャートである。
【図４】本発明の一例である図１の携帯電話端末において設定されている表示Ｌｏｃｋを解除する動作の一例を説明するためのフローチャートである。
【図５】本発明の一例である図１の携帯電話端末において出力表示部への画面表示動作の図３とは異なる例を説明するためのフローチャートである。
【図６】本発明の一例である図１の携帯電話端末において出力表示部への画面表示動作の図３とはさらに異なる例を説明するためのフローチャートである。
【符号の説明】
【００７０】
１０    携帯電話端末
１１    フォントデータ格納メモリ
１２    出力表示部
１３    演算処理部
１４    操作入力部
１５    主記憶領域
１６    表示Ｌｏｃｋ用パスワード格納エリア
１７    フォントイメージデータ一時格納エリア
１８    表示Ｌｏｃｋフラグ格納エリア
１９    無線制御部
【図１】
0004595812.tif 000002
【図２】
0004595812.tif 000003
【図３】
0004595812.tif 000004
【図４】
0004595812.tif 000005
【図５】
0004595812.tif 000006
【図６】
0004595812.tif 000007